(57)【特許請求の範囲】
【請求項１】
一次セル（ＰＣｅｌｌ）から１以上の同期信号を受信する段階と、
二次セル（ＳＣｅｌｌ）のための動作指示を受信する段階と、
前記ＳＣｅｌｌにおける物理下り回線共有チャネル（ＰＤＳＣＨ）送信を示す前記ＰＣｅｌｌにおける物理下り回線制御チャネル（ＰＤＣＣＨ）送信を１以上の制御チャネル要素（ＣＣＥ）中で受信する段階と、
前記１以上のＣＣＥの第１ＣＣＥに基づいて、物理上り回線制御チャネル（ＰＵＣＣＨ）リソースの割り当てを決定する段階とを備え、
前記第１ＣＣＥは、前記ＳＣｅｌｌのＰＤＳＣＨをスケジュールする前記ＰＣｅｌｌの任意の一つのＰＤＣＣＨから選択され、２から４つのサブフレーム以内で送信される、
方法。
【請求項２】
前記ＰＤＣＣＨ送信は、第１のＰＤＣＣＨ送信であり、
前記ＰＵＣＣＨリソースは、第１のＰＵＣＣＨリソースであり、
少なくとも１つのＣＣＥにおいて、送信電力制御（ＴＰＣ）フィールドを含む下り回線制御情報を有する第２のＰＤＣＣＨ送信を前記ＳＣｅｌｌで受信する段階と、
第２のＰＵＣＣＨリソースの割り当てを前記ＴＰＣフィールドに基づいて決定する段階とを更に含む、
請求項１に記載の方法。
【請求項３】
前記ＰＤＳＣＨ送信は、第１のＰＤＳＣＨ送信であり、
前記ＰＵＣＣＨリソースは、前記ＰＣｅｌｌ上の前記第１のＰＤＳＣＨ送信及び第２のＰＤＳＣＨ送信についてハイブリッド自動再送要求（ＨＡＲＱ）応答情報を含むための上り回線サブフレームである、
請求項１に記載の方法。
【請求項４】
前記割り当てを決定する段階は、
前記ＰＵＣＣＨリソースの割り当てを前記第１ＣＣＥの指標に基づいて決定する段階を有する、
請求項１に記載の方法。
【請求項５】
前記１以上のＣＣＥは、関連付けられた複数の指標を有する複数のＣＣＥを有し、
前記第１ＣＣＥの指標は、前記複数のＣＣＥに関連づけられた前記複数の指標のうち最も低いものである、
請求項４に記載の方法。
【請求項６】
前記ＰＵＣＣＨリソースは、時分割二重化（ＴＤＤ）ハイブリッド自動再送要求（ＨＡＲＱ）応答（ＡＣＫ）情報のフィードバックのために提供される、
請求項１に記載の方法。
【請求項７】
前記ＰＵＣＣＨリソースは、上り回線スケジューリングリクエストのために提供される、
請求項１に記載の方法。
【請求項８】
前記ＰＵＣＣＨリソースは、上り回線サブフレームであり、
前記上り回線サブフレームにおいて、時分割二重化（ＴＤＤ）ハイブリッド自動再送要求（ＨＡＲＱ）応答（ＡＣＫ）情報を、２個、３個又は４個のいずれかの下り回線サブフレームのＰＤＳＣＨ送信のために、送信する、
請求項１に記載の方法。
【請求項９】
前記ＴＤＤ  ＨＡＲＱ  ＡＣＫ情報は、４個の下り回線サブフレームに含まれるＰＤＳＣＨ送信のための情報を含み、
前記４個の下り回線サブフレームの各々でＰＤＣＣＨ送信を受信する段階と、
前記４個の下り回線サブフレームの各々で受信された前記ＰＤＣＣＨ送信に基づいて、前記上り回線サブフレーム中の４個のＰＵＣＣＨリソースの割り当てを決定する段階と、
を含む請求項８に記載の方法。
【請求項１０】
前記ＰＵＣＣＨリソースは、第１のＰＵＣＣＨリソースであり、
前記ＰＤＣＣＨ送信は、下り回線サブフレームにおいて受信された第１のＰＤＣＣＨ送信であり、
前記下り回線サブフレームの前記ＰＣｅｌｌで第２のＰＤＣＣＨ送信を受信して、前記ＰＣｅｌｌのＰＤＳＣＨ送信をスケジュールする段階と、
前記第２のＰＤＣＣＨ送信に基づいて、第２のＰＵＣＣＨリソースの割り当てを決定する段階とを更に備える、
請求項１に記載の方法。
【請求項１１】
第３世代パートナシッププロジェクト（３ＧＰＰ）のリリース１０ロングタームエボリューションアドバンスト（ＬＴＥ−Ａ）に準拠して実行される、
請求項１に記載の方法。
【請求項１２】
前記ＰＵＣＣＨリソースは、チャンネル選択を伴うフォーマット１ｂを有する、
請求項１１に記載の方法。
【請求項１３】
前記ＰＤＣＣＨ送信は、前記ＰＣｅｌｌ上で行われる、
請求項１に記載の方法。
【請求項１４】
無線ネットワークに用いられる装置であり、
二次セル（ＳＣｅｌｌ）の物理下り回線共有チャネル（ＰＤＳＣＨ）を示す物理下り回線制御チャネル（ＰＤＣＣＨ）の第１制御チャネル要素（第１ＣＣＥ）から、物理上り回線制御チャネル（ＰＵＣＣＨ）リソース割り当てを決定する処理回路を備え、
一次セル（ＰＣｅｌｌ）での１以上のＰＤＣＣＨ送信により、２から４個のＰＵＣＣＨリソースが暗示的に示され、
前記第１ＣＣＥは、前記ＳＣｅｌｌのＰＤＳＣＨをスケジュールする前記ＰＣｅｌｌの任意の１つのＰＤＣＣＨから選択され、２から４個のサブフレーム内で送信される、
装置。
【請求項１５】
無線インタフェースを更に備え、
前記無線インタフェースは、前記ＰＣｅｌｌ及びＳＣｅｌｌから下り回線サブフレームを受信する、
請求項１４に記載の装置。
【請求項１６】
下り回線通信において直交周波数分割多元接続（ＯＦＤＭＡ）により動作し、上り回線通信において単一搬送波周波数分割多元接続（ＳＣ−ＦＤＭＡ）により動作するユーザ機器（ＵＥ）の一部である、
請求項１５に記載の装置。
【請求項１７】
前記ＳＣｅｌｌのＰＤＣＣＨ送信の下り回線制御情報中の送信電力制御フィールドを用いて、前記２から４個のＰＵＣＣＨリソースのうち第１のＰＵＣＣＨリソースを決定する、請求項１４に記載の装置。
【請求項１８】
前記ＰＣｅｌｌのＰＤＣＣＨ送信の第１制御チャネル要素（ＣＣＥ）指標を用いて、前記２から４個のＰＵＣＣＨリソースのうち第１のＰＵＣＣＨリソースを決定する、
請求項１４に記載の装置。
【請求項１９】
前記ユーザ機器（ＵＥ）は、タッチスクリーンユーザインタフェースを有する、
請求項１６に記載の装置。
【請求項２０】
一次セル（ＰＣｅｌｌ）及び二次セル（ＳＣｅｌｌ）を備える無線ネットワーク中で用いられる装置であって、
ハイブリッド自動再送要求（ＨＡＲＱ）応答（ＡＣＫ）情報の送信のために、上り回線サブフレームの１以上の物理上り回線制御チャネル（ＰＵＣＣＨ）リソースを、前記ＰＣｅｌｌの１以上の物理下り回線制御チャネル（ＰＤＣＣＨ）送信を用いて割り当てる、処理回路を備え、
前記１以上のＰＵＣＣＨリソース中の第１のＰＵＣＣＨリソースを、前記１以上のＰＤＣＣＨ送信中の第１のＰＤＣＣＨ送信を搬送する制御チャネル要素（ＣＣＥ）の指標を用いて示し、２から４の間の個数の下り回線サブフレームが、前記上り回線サブフレームの割り当てられた前記ＰＵＣＣＨリソースを示すために用いられ、
前記ＣＣＥの前記指標は、前記ＳＣｅｌｌのＰＤＳＣＨをスケジュールする前記ＰＣｅｌｌの任意の１つのＰＤＣＣＨから選択され、２から４個のサブフレーム以内で送信される、
装置。
【請求項２１】
前記第１のＰＤＣＣＨ送信は、第１の下り回線サブフレーム内で送信され、
前記装置は、前記第１の下り回線サブフレームの第２のＰＤＣＣＨ送信を用いて、前記複数のＰＵＣＣＨリソースのうち第２のＰＵＣＣＨリソースを示す、
請求項２０に記載の装置。
【請求項２２】
前記制御チャネル要素（ＣＣＥ）は、第１ＣＣＥであり、
前記装置は、前記第１のＰＤＣＣＨ送信を搬送する第２ＣＣＥの指標を用いて、前記複数のＰＵＣＣＨリソースのうち第２のＰＵＣＣＨを示す、
請求項２０に記載の装置。
【請求項２３】
前記１以上のＰＤＣＣＨ送信は、前記ＰＣｅｌｌ及び前記ＳＣｅｌｌの両方において行われる、
請求項２０に記載の装置。
【請求項２４】
前記ＰＵＣＣＨリソースのうち少なくとも１つは、前記ＳＣｅｌｌのＰＤＣＣＨ送信で送信されれる下り回線制御情報中のフィールドを用いて、明示的に示される、
請求項２３に記載の装置。
【発明の詳細な説明】
【技術分野】
【０００１】
［優先権の主張］
本願は、２０１１年１月７日に提出され、発明の名称が「ＬＴＥ−Ａ−ＴＤＤシステムにおけるチャネル選択を行うＰＵＣＣＨフォーマット１ｂでのリソース割り当て」である米国仮特許出願第６１／４３０，８７９号の優先権を主張する。当該仮特許出願は、その全体が参照により本明細書に組み込まれる。
【背景技術】
【０００２】
通信サービスの分野においては、固定型および移動型の端末を使用する加入者に対し、可能な限り効率よく、かつ、可能な限り低いコストでサービスを提供する必要が常にある。さらに、携帯型端末向けのアプリケーションが増加していることにより、高容量のデータを高速度で送信出来る無線システムの開発が加速している。より効率性が高く、より高い帯域幅の無線ネットワークの開発はその重要性が増しており、そのようなネットワークにおいていかにして効率性を最大化するかの課題が存在する。
【図面の簡単な説明】
【０００３】
本願発明の実施形態の態様、特徴、および効果は、添付の図面を参照して以下の説明から明らかとなるであろう。図面においては、同様の要素には同様の参照符号が付されている。
【図１】図１は、様々な実施形態に係る例示的な無線ネットワークのブロック図である。
【図２】図２は、様々な実施形態に係る、例示的なリソース割り当て方法を示すフロー図である。
【図３】図３は、様々な実施形態に係るリソース割り当ての例を示す図である。
【図４】図４は、様々な実施形態に係るリソース割り当ての例を示す図である。
【図５】図５は、様々な実施形態に係るリソース割り当ての例を示す図である。
【図６】図６は、様々な実施形態に係るリソース割り当ての例を示す図である。
【図７】図７は、様々な実施形態に係るリソース割り当ての例を示す図である。
【図８】図８は、様々な実施形態に係るリソース割り当ての例を示す図である。
【図９】図９は、様々な実施形態に係るリソース割り当ての例を示す図である。
【図１０】図１０は、様々な実施形態に係るリソース割り当ての例を示す図である。
【図１１】図１１は、無線ネットワークで通信を行う例示的な無線システムを示すブロック図である。
【発明を実施するための形態】
【０００４】
以下の詳細な説明では、ブロードバンドの無線広域ネットワーク（ＷＷＡＮ）に関連して本願発明の例示的な実施形態を説明するが、本願発明はそれら実施形態に限定されず、他のタイプの無線ネットワークへ適用することが出来、またその場合でも同様の効果を得ることが出来る。そのような他のネットワークの詳細な例としては、無線ローカルエリアネットワーク（ＷＬＡＮ）、無線パーソナルエリアネットワーク（ＷＰＡＮ）、および／または無線メトロポリタンエリアネットワーク（ＷＭＡＮ）などが挙げられ、これらに適宜適用可能である。さらに、直交周波数分割多重（ＯＦＤＭ）または直交周波数分割多元接続（ＯＦＤＭＡ）を用いる無線ネットワークを参照し詳細な実施形態を説明するが、本願発明の実施形態はそれら実施形態に限定されず、例えば、単一搬送波周波数分割多元接続（ＳＣ−ＦＤＭＡ）または他のプロトコルを用いる単一搬送波通信チャネルを含む他の無線インタフェース、または上り回線（ＵＬ）および下り回線（ＤＬ）通信用の無線インタフェースを用いて適宜実装してもよく、またはこれらの通信インタフェースと適宜組み合わせられてもよい。
【０００５】
以下に説明する本願発明の実施形態は、無線システムの送信機および受信機を含む様々な適用例において用いることが可能である。ただし、本願発明の実施形態は、それらに限定されない。本願発明の態様に含まれる無線システムは、詳細には、固定型または携帯型デバイス、中継局、ゲートウェイ、ブリッジ、ハブ、ルータ、ネットワークインタフェースカード（ＮＩＣ）、ネットワークアダプタ、および他のネットワークデバイスを含むが、これらに限定されない。さらに、当該無線システムは、携帯無線電話システム、衛星システム、双方向無線システム、並びに、パーソナルコンピュータ（ＰＣ）、ネットブック、タブレット、関連周辺機器、携帯情報端末（ＰＤＡ）、パーソナルコンピューティングアクセサリ、スマートフォンなどのハンドヘルド通信デバイス、および本願発明の実施形態の原理を適宜適用することが出来る性質的に関わりのある全てのシステムを含む、そのような無線システムを含むコンピューティングデバイスにおいて実装することが出来る。さらにそれぞれのシステムは、ＷＷＡＮ、ＷＬＡＮ、および／またはＷＰＡＮなど２以上のタイプのネットワークが重なり合って併存する複数の異種ネットワーク上で多数の無線を用いて動作してもよい。
【０００６】
詳細な説明において、「Ａ／Ｂ」という表現は、ＡまたはＢであることを示す。「Ａおよび／またはＢ」という表現は、「Ａ、Ｂ、またはＡおよびＢ」であることを示す。「Ａ、Ｂ、およびＣの少なくとも１つ」という表現は、「Ａ、Ｂ、Ｃ、ＡおよびＢ、ＡおよびＣ、ＢおよびＣ、またはＡ、Ｂ、およびＣ」であることを示す。また、「（Ａ）Ｂ」という表現は、「Ｂ、またはＡおよびＢ」であり、Ａは任意選択的に用いられる要素であることを示す。
【０００７】
図１を参照すると、本願発明の様々な実施形態に係る例示的な無線通信ネットワーク１００は、コアネットワークまたはプロバイダネットワーク（ＰＮ）（１１０）と、１以上のイボルブド（ｅｖｏｌｖｅｄ）ノードＢ（ｅＮｏｄｅＢ）１１４、１１６と、携帯型および／または固定型の加入者を含む１以上のユーザ機器（ＵＥ）１２０〜１２６との間の無線アクセスを促すことが出来る何らかの無線システムであってよい。様々な実施形態において、ｅＮｏｄｅＢ１１４および／または１１６は、固定局（例えば固定ノード）または移動局／ノードであってよい。代替的な実施形態において、中継ノード（図示せず）も、１以上のＵＥ１２０〜１２６および／またはドナーｅＮｏｄｅＢと通信を行ってもよい。さらに、多数のＵＥ１２０〜１２６も、異種のネットワーク構成（図示せず）を介して、異なるタイプの無線ネットワークを含む１以上の他の無線ネットワーク１００と通信を行ってもよい。
【０００８】
ネットワーク１００は、３ｒｄ  Ｇｅｎｅｒａｔｉｏｎ  Ｐａｒｔｎｅｒｓｈｉｐ  Ｐｒｏｊｅｃｔ（３ＧＰＰ）のＬｏｎｇ  Ｔｅｒｍ  Ｅｖｏｌｕｔｉｏｎ（ＬＴＥ）携帯電話ネットワーク、およびその発展型のＬＴＥ−Ａｄｖａｎｃｅｄ（ＬＴＥ−Ａ）、電気電子技術者協会（ＩＥＥＥ）８０２．１６携帯ブロードバンド無線アクセス（ＢＷＡ）ネットワーク、ＩＥＥＥ  ８０２．１１  ＷＬＡＮ、または本願発明の実施形態の原理を適宜適用可能な他のタイプのネットワークなどの無線通信ネットワークであってよい。本明細書で用いられるように、「ＬＴＥ−Ａ」という用語は、バージョン１０を含む、過去に存在した、現在存在する、または将来的に開発されるＬＴＥ基準のいずれかを指し得、またこれらに限定されない。
【０００９】
本明細書でユーザ機器（ＵＥ）とは、加入者局（ＳＳ）、局（ＳＴＡ）、端末、移動局（ＭＳ）、アドバンスト移動局（ＡＭＳ）、高スループット（ＨＴ）局（ＳＴＡ）、または超ＨＴ  ＳＴＡ（ＶＨＴ  ＳＴＡ）などのプラットフォームであり得る。ＵＥ、端末、ＳＳ、ＭＳ、ＨＴ  ＳＴＡ、およびＶＨＴ  ＳＴＡを含む様々な形態のプラットフォームは、互いに置き換えて利用可能であり、特定のプラットフォームについて言及したとしても、様々な実施形態において、他のプラットフォームを代替的に用いることが出来ないことを意味するものではない。ｅＮｏｄｅＢは、基地局（ＢＳ）、アドバンスト基地局（ＡＢＳ）、アクセスポイント（ＡＰ）、ノード、またはノードＢであってよい。さらにこれらの用語は、どの無線プロトコルが用いられるかに応じて概念的に互換的に使用可能であり、本明細書でｅＮｏｄｅＢについて言及したとしてもそれは、様々な実施形態において、ＢＳ、ＡＢＳ、またはＡＰについて言及したものとして見なすことも可能である。
【００１０】
ＵＥ１２０〜１２６および／またはｅＮｏｄｅＢ１１４および／または１１６は、単一ユーザ多重入出力（ＳＵ−ＭＩＭＯ）、マルチユーザＭＩＭＯ（ＭＵ−ＭＩＭＯ）、閉ループＭＩＭＯ、開ループＭＩＭＯ、または様々なタイプのスマートアンテナ処理を含む、様々な形態のＭＩＭＯで動作することが出来るＭＩＭＯ送信システムを実装するよう複数のアンテナを含んでよい。また、ＵＥ１２０〜１２６、並びに／若しくはｅＮｏｄｅＢ１１４および／または１１６のそれぞれは、複数の入力アンテナ、および単一の出力アンテナ（ＭＩＳＯ）を用いて構成してもよく、若しくは、単一の入力アンテナ、および複数の出力アンテナ（ＳＩＭＯ）を用いて構成してもよい。
【００１１】
ＵＥ１２０〜１２６は、１以上の上り回線チャネルを介して１以上のｅＮｏｄｅＢ１１４および／または１１６へ何らかのタイプのチャネル情報（ＣＳＩ）フィードバックを提供してもよく、ｅＮｏｄｅＢ１１４および／または１１６は受信したＣＳＩフィードバックに基づいて１以上のＤＬチャネルを調整してもよい。ＣＳＩフィードバックの正確性は、ＭＩＭＯシステムの性能に影響を与える。ＣＳＩフィードバックはチャネル品質指標（ＣＱＩ）、プリコーディング行列指標（ＰＭＩ）、およびランク指標（ＲＩ）に関する情報を含んでよい。ＰＭＩはコードブック内のプリコーダについて言及するか、若しくは一意的に特定する。ｅＮｏｄｅＢ１１４および／または１１６はＰＭＩが言及するプリコーダに基づいてＤＬチャネルを調整してよい。
【００１２】
ＵＬチャネルおよびＤＬチャネルは、互いに共通の、または共通ではない１以上の周波数帯域と関連付けることが出来る。一実施形態において、周波数分割双方向（ＦＤＤ）の構成において、ＵＬチャネルは第１周波数帯域に位置付けられ、ＤＬチャネルは、第２周波数帯域に位置付けられる。他の実施形態において、ＵＬチャネルおよびＤＬチャネルは、時分割二重化（ＴＤＤ）構成において、共通の周波数帯域に位置付けられる。さらに、各周波数帯域は互いに隣接していてもしていなくてもよい。各周波数帯域はさらに、ＵＬチャネルとＤＬチャネルとで共有されてもされなくてもよい１以上のサブバンドに分割されてもよい。ＵＬチャネルまたはＤＬチャネル（広帯域）の周波数サブバンド、搬送波、またはサブ搬送波のそれぞれ、１以上の統合されたサブバンド、若しくは１以上の周波数帯域は周波数リソースとも呼ばれる。
【００１３】
図２は物理リソースブロック（ＰＲＢ）、並びに、変調および符号化方式（ＭＣＳ）などの物理上り回線制御チャネル（ＰＵＣＣＨ）リソースの割り当て方法の例示的な実施形態を示す。本実施形態においては、複数のサービスするセルに対し複数の搬送波のキャリアアグリゲーションをサポートする時分割二重化（ＴＤＤ）システムにおいて、ハイブリッド自動再送要求（ＨＡＲＱ）応答（ＡＣＫ）／否定応答（ＮＡＣＫ）情報のフィードバックに用いるチャネル選択を行うＰＵＣＣＨフォーマットｌｂが用いられる。サービスするセルは、一次セル（ＰＣｅｌｌ）および二次セル（ＳＣｅｌｌ）を含み得るが、実施形態はこの場合に限定されず、１以上のサービスするセルが追加で含まれてもよい。例えば、追加のＳＣｅｌｌが他の実施形態において加えられてもよい。
【００１４】
ＴＤＤシステムは、周波数分割二重（ＦＤＤ）により動作してもよく、若しくは、ＦＤＤにより動作するシステムと併存してもよい。ＴＤＤシステムは、２以上の搬送波のキャリアアグリゲーションをサポートする３ＧＰＰ  ＬＴＥまたはＬＴＥ−Ａシステムであってもよく、若しくは２以上の搬送波を用いてＴＤＤ通信を行う他の無線システムであってもよい。チャネル選択を行うＰＵＣＣＨフォーマットｌｂを用いる場合、それぞれが２ビットを伝送出来る４つの固有のＰＵＣＣＨリソースからのチャネル選択を行って、４ビット以下の情報を送信してよい。
【００１５】
ＴＤＤにより通信を行うＵＥ１２０〜１２６並びに／若しくはｅＮｏｄｅＢ１１４および／または１１６などのＬＴＥおよびＬＴＥ−Ａデバイスに関して、ＰＣｅｌｌおよびＳＣｅｌｌのサブフレーム数に対応するＨＡＲＱ  ＡＣＫ／ＮＡＣＫ情報は、下り回線アソシエーションセットに従って、ＵＬサブフレームでＵＥによりｅＮｏｄｅＢへ通信される。ＴＤＤに関する、そのような下り回線アソシエーションセット指標Ｋ：｛ｋ０，ｋ１，...ｋＭ−１）を表１に示す。
【００１６】
【表１】
0005709334.tif 000002
【００１７】
表１の下り回線アソシエーションセット指標の用い方の一例として、ＵＬ−ＤＬ構成１で（ｎ＝２；ＰＵＣＣＨを用いてＨＡＲＱ  ＡＣＫ／ＮＡＣＫ情報を送信するのに用いられるＵＬサブフレームである）サブフレーム２関しては、物理下り回線共有チャネル（ＰＤＳＣＨ）上でｎ−ｋサブフレーム（２つの要素を含む本例ではｋ＝７または６）で前に送信され、関連付けられた物理下り回線制御チャネル（ＰＤＣＣＨ）によりスケジューリングが行われた対応するＤＬデータは、自身のＡＣＫ／ＮＡＣＫがサブフレームｎ（本例ではｎ＝２）で送信されるようにする。これらの実施形態において１つのフレームあたり１０のサブフレームがあるとすると、ｋ＝７に関しては、ｎ−ｋ＝２＋１０（前のフレームから）−７＝５となる。ｋ＝６に関しては、ｎ−ｋ＝２＋１０（前のフレームから）−６＝６となる。よってＵＬ−ＤＬ構成１においては、前のフレームのサブフレーム５および６で送信されたＰＤＳＣＨは、続くフレームのサブフレーム２でＡＣＫ／ＮＡＣＫ処理がされる。本例において、サブフレームｎ＝２は、全ての構成においてＵＬサブフレームである。他の例において、ＵＬ−ＤＬ構成４におけるサブフレーム３は、４つの要素を有する他のＵＬサブフレームである。
【００１８】
本願発明の実施形態は、表１に示すようなセットＫ内の要素数であるＭ＝２、３、または４である場合のＵＬサブフレームにおけるリソース割り当てを行う。ＵＬ−ＤＬ構成１のサブフレーム２に関しては、２つの要素が存在するのでＭ＝２である。Ｍは、時間領域（つまりサブフレーム）のバンドリングのバンドリングウィンドウ（ｂｕｎｄｌｉｎｇ  ｗｉｎｄｏｗ）のサイズと見なすことも出来る。
【００１９】
チャネルへのリソース割り当ては、暗示的および／または明示的に行われてよい。暗示的なリソース割り当ては、異なる目的で送信される情報の転送によって意図されるリソース割り当てが推察されるときに行われ得る。暗示的なリソース割り当てを用いることにより、リソースを追加で用いることなくより多くの情報を転送することが可能となり、シグナリング処理の効率性が向上する。明示的なリソース割り当ては、リソース割り当ての転送に割り当てられたリソースを用いて意図されるリソース割り当てがシグナリングされるときに行われ得る。
【００２０】
ＤＬサブフレームの送信によって行われるＵＬ送信へのリソース割り当てのシグナリングは、他の場合おいてはＤＬフレームまたはＤＬサブフレームで送信されるであろうビットを減らすべく暗示的なシグナリングを用いて効率的に示され、検知され、または決定されるので、消費電力、スループット、および遅延などの性能基準を向上させられる。さらに、ＤＬサブフレームの送信によって行われるＵＬ送信へのリソース割り当てのシグナリングは、ＤＬで送信される既存のサブフレームのフィールドを用いて明示的に示すことが出来、これによって、ＤＬサブフレームフォーマットを単純化することが出来、互換性を向上させられる。
【００２１】
複数の実施形態において、チャネル選択を行うＰＵＣＣＨフォーマットｌｂで用いられるリソース割り当て情報は、ＰＤＣＣＨによって伝送される。ＬＴＥまたはＬＴＥ−Ａにおいて、チャネル選択を行うＰＵＣＣＨフォーマットｌｂに用いられる変調は、２ビットの直角位相シフトキー（ＱＰＳＫ）を用いて行われる。他の実施形態においては、異なる変調方式および／またはビット数を用いてもよい。
【００２２】
図２を参照すると、無線通信ネットワーク１００において通信を行う例示的な方法２００は、段階２０５において、ＵＥ３  １２４などのＵＥを、一次セル（ＰＣｅｌｌ）内のｅＮｏｄｅＢ１  １１４などのｅＮｏｄｅＢと関連付ける。ＵＥとｅＮｏｄｅＢとの関連付けは、ＵＥがＰＣｅｌｌとの時間および周波数に関する同期を行い、ＰＣｅｌｌの物理層セルアイデンティフィケーション（ＩＤ）を検出するセルサーチ手順を含みうる。セルサーチ手順は、ＤＬ送信において一次および二次同期信号をｅＮｏｄｅＢからＵＥへ送信する段階を含んでよい。段階２１０において、ＵＥは、二次セル（ＳＣｅｌｌ）内のｅＮｏｄｅＢ２  １１６などｅＮｏｄｅＢとの関連付けを行う。ここでＵＥは、動作指示を受けた後にＳＣｅｌｌとの関連付けを行ってもよい。
【００２３】
ＵＥは段階２１５において、当該ＵＥのＰＵＣＣＨリソース割り当ての全て、若しくは少なくとも一部を決定してもよい。ＰＣｅｌｌ上の対応するＰＤＣＣＨの検出により示される、ＰＣｅｌｌおよび／またはＳＣｅｌｌ上で送信される複数のサブフレームで行われるＰＤＳＣＨ送信に関し、ＰＵＣＣＨリソースの数は、対応するＰＤＣＣＨの、下り回線制御情報（ＤＣＩ）の指定の送信に用いられる、最も低い、つまり第１の、制御チャネル要素（ＣＣＥ）指標（ｎＣＣＥ）または（ｎＣＣＥ，ｍ）の適切な関数を用いて暗示的に示され得る。３ＧＰＰ  ＬＴＥまたはＬＴＥ−Ａにおいて制御チャネル要素指標は、ＰＤＣＣＨメッセージの一部または全てをマッピングすることが出来る１つのセットのリソース要素である。セット内に３６のリソース要素が存在し得るが、他の実施形態ではそれより多くの、またはより少ないリソース要素が用いられてもよい。
【００２４】
ＰＵＣＣＨリソースの数が段階２２０で示されてもよい。ＳＣｅｌｌ上の対応するＰＤＣＣＨの検出によって示されるＳＣｅｌｌ上のＰＤＳＣＨ送信に関して、対応するＰＤＣＣＨのＤＣＩにおける送信電力制御（ＴＰＣ）フィールドを再利用し、４以下のＰＵＣＣＨリソース値のうち１以上を示すことにより、１以上のＰＵＣＣＨリソースを明示的に示してもよい。ここでＰＵＣＣＨリソースの数、またはＰＵＣＣＨリソース値は、媒体アクセス制御（ＭＡＣ）層、無線リンク制御（ＲＬＣ）層、および／またはパケットデータコンバージェンスプロトコル（ＰＤＣＰ）層を含んでよいより上位の層によって、無線リソース制御（ＲＲＣ）シグナリング介してなどにより設定される。ＤＬデータの受信および復号化に必要な情報、並びにスケジューラおよびＨＡＲＱプロトコルを提供するのに用いられるＵＬ制御情報をＵＥに関する情報と共にＵＥ１２４などのＵＥへ提供する層１／層２（Ｌ１／Ｌ２）制御チャネル上で、ＤＣＩを転送してもよい。代替的な実施形態においては、ＴＰＣフィールド以外の追加または代替のフィールドを用いてＰＵＣＣＨリソースの数を示す。
【００２５】
図３は、様々な実施形態に係るＰＵＣＣＨリソース割り当ての例を示す図である。一次セル（ＰＣｅｌｌ）３０２および二次セル（ＳＣｅｌｌ）３０４はそれぞれ、図１のｅＮｏｄｅＢｌ  １１４およびｅＮｏｄｅＢ２  １１６により用いられてよく、バンドリングウィンドウ３００においてサブフレームバンドリングウィンドウサイズ（Ｍ）が４である複数のサブフレームは、ＰＣｅｌｌ３０２およびＳＣｅｌｌ３０４で送信されてもよい。代替的な実施形態においては、より多くの、またはより少ないサブフレームを各バンドリングウィンドウで用いる。ＰＣｅｌｌ３０２のバンドリングウィンドウ３００は、ＤＬサブフレーム３１０〜３１３を含み、ＳＣｅｌｌ３０４は、サブフレーム３２０〜３２３を含む。ＰＣｅｌｌ３０２およびＳＣｅｌｌ３０４はそれぞれ、帯域幅が１．４、３、５、１０、または２０メガヘルツ（ＭＨｚ）であってよい１以上のコンポーネントキャリア（ＣＣ）を用いてよい。各ＣＣは隣接していてもしていなくてもよい。
【００２６】
図３において、ＤＬ上で２以下のＣＣを用いて、ＰＣｅｌｌ上のＰＤＳＣＨのスケジューリングを行うＰＤＣＣＨ３３２を用いて各ＤＬサブフレームでスケジューリング情報を送信し、ＳＣｅｌｌ上のＰＤＳＣＨのスケジューリングを行うＰＤＣＣＨ３３４を用いてスケジューリング情報を送信する。これにより、４つのＰＵＣＣＨリソースが１以上のＵＬサブフレーム３５０でＵＬ上で暗示的にスケジューリングされる。ＰＤＣＣＨ、ＰＤＳＣＨ、およびＰＵＣＣＨは物理チャネルである。ここで、各物理チャネルは、情報および／またはデータの転送に用いられる時間−周波数グリッドにおけるリソース要素の１つのセットに対応する。
【００２７】
ＰＤＣＣＨは転送フォーマット、ＤＬ−ＳＣＨに関するリソース割り当て、ページングチャネル（ＰＣＨ）転送チャネル、および関連するＨＡＲＱ情報などの情報を伝送出来る。ＰＤＳＣＨはユーザデータおよび他のシグナリング情報を伝送出来るＤＬチャネルである。他方、ＰＵＣＣＨは、ＤＬ送信およびＵＬスケジューリングリクエストに応答し、チャネル品質指標（ＣＱＩ）、応答（ＡＣＫ）および否定応答（ＮＡＣＫ）を含むＵＬ制御情報をＨＡＲＱに対して伝送出来る。
【００２８】
複数の実施形態において、図３に示すＵＬリソース割り当ては、バンドリングウィンドウ３００のサイズが４であり、かつ、搬送波間スケジューリングを行う２つの構成されたサービスするセルを含む、チャネル選択を行うＰＵＣＣＨフォーマットｌｂによるＴＤＤ  ＨＡＲＱ−ＡＣＫ多重化へ適用される。図３に示す実施形態において、ＵＬサブフレーム３５０と関連付けられたバンドリングウィンドウ３００のＤＬサブフレームで送信を行うことにより、２つから４つのＰＵＣＣＨリソースを導出することが出来る。ここで、各ＰＵＣＣＨリソースは対応するＰＤＳＣＨ送信により示すことが出来る。例えば、第１ＰＵＣＣＨリソースは、第１下り回線サブフレーム３１０のＰＣｅｌｌ３０２上で送信される第１ＰＤＳＣＨによって示され、第２ＰＵＣＣＨリソースは、第２下り回線サブフレーム３１１のＰＣｅｌｌ３０２上で送信される第２ＰＤＳＣＨによって示され、このような処理により、４つのＰＵＣＣＨリソースが示される。代替的な実施形態においては、より少ないＰＵＣＣＨリソースが示される。
【００２９】
図４に示す実施形態においては、ＰＤＣＣＨがＰＣｅｌｌ３０２およびＳＣｅｌｌ３０４上で送信される。図４に示すＵＬリソース割り当ては、バンドリングウィンドウ３００のサイズが４であり、かつ、搬送波間スケジューリングを行わない２つの構成されたサービスするセルを含む、チャネル選択を行うＰＵＣＣＨフォーマットｌｂによるＴＤＤ  ＨＡＲＱ−ＡＣＫ多重化へ適用される。ＵＬに関し、２つから４つのＰＵＣＣＨリソース割り当てが暗示的に示される。各ＰＵＣＣＨリソースは対応するＰＤＳＣＨ送信により暗示的に示すことが出来る。例えば、第１ＰＵＣＣＨリソースは、ＰＣｅｌｌ３０２で送信される第１ＰＤＳＣＨによって示され、第２ＰＵＣＣＨリソースは、ＰＣｅｌｌ３０２上で送信される第２ＰＤＳＣＨによって示され、このような処理により、各ＰＵＣＣＨリソースはＰＣｅｌｌ３０２および／またはＳＣｅｌｌ３０４上で送信されるＰＤＳＣＨによって示され得る。
【００３０】
図３および図４において、４つのＤＬサブフレーム、つまりサブフレーム♯ｉ〜サブフレーム♯ｉ＋３内でＰＣｅｌｌ３０２および／またはＳＣｅｌｌ３０４上のＰＤＳＣＨのスケジューリングを行うべくＰＣｅｌｌ３０２上で送信されるＰＤＣＣＨの最も低い制御チャネル要素（ＣＣＥ）指標（ＮＣＣＥ）を用いてＰＵＣＣＨリソースを割り当てることが出来、これにより、４つのＰＵＣＣＨリソースが暗示的に示され得る。
【００３１】
他の実施形態において、ＰＵＣＣＨリソースの数は、ＰＣｅｌｌ３０２上のＰＤＳＣＨ送信のスケジューリングを行うべくＰＣｅｌｌ上で送信されるＰＤＣＣＨにより暗示的に示され得、ＰＵＣＣＨリソースの数は、搬送波間スケジューリングを行う実施形態においては、ＳＣｅｌｌ３０４上のＰＤＳＣＨ送信のスケジューリングを行うべくＰＣｅｌｌ上で送信されるＰＤＣＣＨにより暗示的に示され得、若しくは、搬送波間スケジューリングを行わない実施形態においては、ＳＣｅｌｌ３０４上のＰＤＳＣＨ送信のスケジューリングを行うべくＳＣｅｌｌ上で送信されるＰＤＣＣＨにより示され得る。これにより、ＵＬサブフレーム３５０に対する合計４つのＰＵＣＣＨリソースを示す。
【００３２】
図５に示すＵＬリソース割り当ては、バンドリングウィンドウ３００のサイズが３であり、かつ、搬送波間スケジューリングを行う２つの構成されたサービスするセルを含む、チャネル選択を行うＰＵＣＣＨフォーマットｌｂによるＴＤＤ  ＨＡＲＱ−ＡＣＫ多重化へ適用されるＵＬサブフレーム３５０と関連付けられたバンドリングウィンドウ３００のＤＬサブフレームでの送信から、４つのＰＵＣＣＨリソースを導出し得る。代替的な実施形態においては、より少ないＰＵＣＣＨリソースが示されてもよい。
【００３３】
図５において、２以下のＤＬコンポーネントキャリアを用いることが出来、全てのＰＤＣＣＨがＤＬのＰＣｅｌｌ３０２上で送信される。ＳＣｅｌｌ３０４上のＰＤＳＣＨは、搬送波間スケジューリングを用いるＰＣｅｌｌ３０２上のＰＤＣＣＨによりスケジューリングされる。本実施形態において、ＵＬサブフレーム３５０に対し４つのＰＵＣＣＨリソース割り当てが示される。ＬＴＥ−Ａ  ＴＤＤのチャネル選択を行うＰＵＣＣＨフォーマットｌｂによりリソース割り当てが行われる場合、ＵＬリソースは、３つのＤＬサブフレーム内で、Ｃｅｌｌ３０２上で送信される、ＰＣｅｌｌ上のＰＤＳＣＨのスケジューリングを行うＰＤＣＣＨ３３２の第１の、または最も低いＣＣＥ指標（ＮＣＣＥ）を用いて割り当てられ、３つのＰＵＣＣＨリソースが暗示的に示される。さらに、３つのＤＬサブフレーム内で、ＰＣｅｌｌ３０２上で送信される、ＳＣｅｌｌ上のＰＤＳＣＨのスケジューリングを行うＰＤＣＣＨ３３４の第１の、または最も低いＣＣＥ指標（ＮＣＣＥ）は、もう１つのＰＵＣＣＨリソースを暗示的に示し、合計４つのＵＬリソースを提供することが出来る。
【００３４】
図６に示すＵＬリソース割り当ては、バンドリングウィンドウ３００のサイズが３であり、かつ、搬送波間スケジューリングを行わない２つの構成されたサービスするセルを含む、チャネル選択を行うＰＵＣＣＨフォーマットｌｂによるＴＤＤ  ＨＡＲＱ−ＡＣＫ多重化へ適用される。ＵＬサブフレーム３５０と関連付けられたバンドリングウィンドウ３００のＤＬサブフレームでの送信から、４つのＰＵＣＣＨリソースを導出し得る。本実施形態において、それぞれ独立したスケジューリングにより、ＤＬのＰＣｅｌｌ３０２およびＤＬのＳＣｅｌｌ３０４の両方でＰＤＣＣＨが送信される。さらに、３つのＤＬサブフレーム内にＰＣｅｌｌ３０２上のＰＤＳＣＨのスケジューリングを行うべく送信されるＰＤＣＣＨの最も低い、または第１のＣＣＥ指標（ＮＣＣＥ）を用いてリソースを割り当て、暗示的に３つのＰＵＣＣＨリソースを示すことが出来る。また、３つのＤＬサブフレーム内にＰＣｅｌｌ３０２上のＰＤＳＣＨのスケジューリングを行うべく送信される任意のＰＤＣＣＨの、次に最も低いＮＣＣＥ＋１を用いて、もう１つのＰＵＣＣＨリソースを明示的に示すことが出来る。
【００３５】
図７に示すＵＬリソース割り当ては、バンドリングウィンドウ３００のサイズが３であり、かつ、搬送波間スケジューリングを行わない２つの構成されたサービスするセルを含む、チャネル選択を行うＰＵＣＣＨフォーマットｌｂによるＴＤＤ  ＨＡＲＱ−ＡＣＫ多重化へ適用される。ＵＬサブフレーム３５０と関連付けられたバンドリングウィンドウ３００のＤＬサブフレームでの送信から、４つのＰＵＣＣＨリソースを導出し得る。ＰＣｅｌｌ３０２上のＰＤＳＣＨ送信のスケジューリングを行うべくＰＣｅｌｌ上で送信されるＰＤＣＣＨにより、１以上のＰＵＣＣＨリソースを暗示的に示すことが出来、ＳＣｅｌｌ３０４上のＰＤＳＣＨ送信のスケジューリングを行うべくＳＣｅｌｌ上で送信されるＰＤＣＣＨを介して１以上のＰＵＣＣＨリソースを示すことが出来る。これにより、ＵＬサブフレーム３５０に対する合計４つのＰＵＣＣＨリソースを示す。各ＰＵＣＣＨリソースは対応するＰＤＳＣＨ送信により暗示的に示すことが出来る。例えば、第１ＰＵＣＣＨリソースは、ＰＣｅｌｌ３０２で送信される第１ＰＤＳＣＨによって示され、第２ＰＵＣＣＨリソースは、ＰＣｅｌｌ３０２上で送信される第２ＰＤＳＣＨによって示され、このような処理により、各ＰＵＣＣＨリソースはＰＣｅｌｌ３０２および／またはＳＣｅｌｌ３０４上で送信されるＰＤＳＣＨによって示され得る。
【００３６】
ＡＣＫ／ＮＡＫリソースインジケータ（ＡＲＩ）ビットとしての３つのＤＬサブフレーム内のＤＬのＳＣｅｌｌ３０４のＰＤＣＣＨに対応するＤＣＩフォーマット内の送信電力制御（ＴＰＣ）フィールドなどのフィールドを用いて、無線リソース制御（ＲＲＣ）シグナリングを介してなど、より上位の層により構成されるＰＵＣＣＨリソースを明示的に示してもよい。結果的に、３つのＰＵＣＣＨリソースが暗示的に示され、加えてもう１つのＰＵＣＣＨリソースが明示的に示される。これにより、ＵＬサブフレーム３５０に対する合計４つのＰＵＣＣＨリソースを示す。
【００３７】
図８に示すＵＬリソース割り当ては、バンドリングウィンドウ３００のサイズが２であり、かつ、搬送波間スケジューリングを行う２つの構成されたサービスするセルを含む、チャネル選択を行うＰＵＣＣＨフォーマットｌｂによるＴＤＤ  ＨＡＲＱ−ＡＣＫ多重化へ適用される。ＵＬサブフレーム３５０と関連付けられたバンドリングウィンドウ３００のＤＬサブフレームでの送信から、複数のＰＵＣＣＨリソースを導出し得る。第３バンドリングウィンドウ３００は、ＳＣｅｌｌ３０４に関して搬送波間スケジューリングによりＰＣｅｌｌ上の２つのＰＤＳＣＨのスケジューリングを行う２つのＰＤＣＣＨ３３２、および、ＳＣｅｌｌ上の２つのＰＤＳＣＨのスケジューリングを行う２つのＰＤＣＣＨ３３４を含む第１サブフレーム３１０および第２サブフレーム３１１を備える。図８においてＤＬサブフレーム３１０、３１１に関しＰＣｅｌｌ上のＰＤＳＣＨの送信のスケジューリングを行うＰＤＣＣＨ３３２およびＳＣｅｌｌ上のＰＤＳＣＨの送信のスケジューリングを行うＰＤＣＣＨ３３４を用いて、ＵＬサブフレーム３５０に関して３つのＰＵＣＣＨリソースが暗示的に示され得る。他の実施形態においては、ＰＵＣＣＨリソースが暗示的または明示的に追加で示される。
【００３８】
図９に示すＵＬリソース割り当ては、バンドリングウィンドウ３００のサイズが２であり、かつ、搬送波間スケジューリングを行わない２つの構成されたサービスするセルを含む、チャネル選択を行うＰＵＣＣＨフォーマットｌｂによるＴＤＤ  ＨＡＲＱ−ＡＣＫ多重化へ適用される。一実施形態において、ＵＬサブフレーム３５０と関連付けられたバンドリングウィンドウ３００のＤＬサブフレームでの送信から、３つのＰＵＣＣＨリソースを導出し得る。
【００３９】
ＰＵＣＣＨリソースは、２つのＤＬサブフレーム内で、ＰＣｅｌｌ３０２上で送信される、ＰＣｅｌｌ上のＰＤＳＣＨのスケジューリングを行うＰＤＣＣＨ３３２の第１の、または最も低いＣＣＥ指標（ＮＣＣＥ）を用いて割り当てられ、２つのＰＵＣＣＨリソースが暗示的に示される。さらに、２つのＤＬサブフレーム内で、ＰＣｅｌｌ３０２上で送信される、ＰＣｅｌｌ上のＰＤＳＣＨのスケジューリングを行うＰＤＣＣＨ３３２の次に最も低いＮＣＣＥ＋１を用いて、もう１つのＰＵＣＣＨリソースを暗示的に示し、ＵＬサブフレーム３５０に関し３つのＰＵＣＣＨリソースが示され得る。他の実施形態においては、ＰＵＣＣＨリソースが暗示的または明示的に追加で示される。
【００４０】
図１０に示すＵＬリソース割り当ては、バンドリングウィンドウ３００のサイズが２であり、かつ、搬送波間スケジューリングを行わない２つの構成されたサービスするセルを含む、チャネル選択を行うＰＵＣＣＨフォーマットｌｂによるＴＤＤ  ＨＡＲＱ−ＡＣＫ多重化へ適用される。ＵＬサブフレーム３５０と関連付けられたバンドリングウィンドウ３００のＤＬサブフレームでの送信から、３つのＰＵＣＣＨリソースを導出し得る。本実施形態においては、ＡＣＫ／ＮＡＫリソースインジケータ（ＡＲＩ）ビットとして、２つのＤＬサブフレーム内のＤＬのＳＣｅｌｌ３０４のＰＤＣＣＨに対応するＤＣＩのＴＰＣフィールドを用いて、ＵＬサブフレーム３５０に関し、ＰＵＣＣＨリソースを明示的に追加で示すことが出来る。図１０において、ＰＣｅｌｌ上のＰＤＳＣＨのスケジューリングを行うＰＤＣＣＨ３３２によって暗示的に２つのＰＵＣＣＨリソースが示され、かつ、ＰＵＣＣＨリソースがＡＲＩとしてのＳＣｅｌｌ上のＰＤＣＣＨのＴＰＣコマンドを再利用することにより明示的に追加で示される。これにより、ＵＬサブフレーム３５０に対する合計３つのＰＵＣＣＨリソースを示す。他の実施形態においては、ＰＵＣＣＨリソースが暗示的または明示的に追加で示される。
【００４１】
図１１を参照すると、無線通信ネットワーク１００で用いられる装置１１００は、上述した１以上の処理で説明されたような短縮された（ａｂｂｒｅｖｉａｔｅｄ）帯域幅のリクエスト／認可を実行する論理を含む処理回路１１５０（例えば、回路、プロセッサ、およびソフトウェア、若しくはこれらの組み合わせ）を含んでよい。限定するわけではないが特定の実施形態においては、装置１１００は一般的に、無線周波数（ＲＦ）インタフェース１１１０、および媒体アクセスコントローラ（ＭＡＣ）／ベースバンドプロセッサ部１１５０を含んでよい。図１１の要素は、本明細書で説明する動作および方法を実装する手段を提供するように構成される。
【００４２】
１つの例示的な実施形態において、ＲＦインタフェース１１１０は、マルチキャリア変調信号を送受信するコンポーネントであるか、コンポーネントの組み合わせであってよい。ただし、本願発明の実施形態は、特定の無線（ＯＴＡ）インタフェースまたは変調方式に何ら限定されない。ＲＦインタフェース１１１０は、受信機１１１２、送信機１１１４、および周波数合成器１１１６などを含んでよい。インタフェース１１１０は所望される場合、バイアス制御器、水晶振動子、および／または１以上のアンテナ１１１８、１１１９を含んでよい。さらに、ＲＦインタフェース１１１０は所望される場合、代替、または追加で、外部の電圧制御発振器（ＶＣＯ）、弾性表面波フィルタ、中間周波数（ＩＦ）フィルタ、および／または無線（ＲＦ）フィルタを用いてよい。ＲＦインタフェースの様々な設計、および動作が当技術分野では公知であるので、詳細な説明は省略する。
【００４３】
処理部１１５０は受信／送信信号を処理するべくＲＦインタフェース１１１０と通信を行ってよく、受信信号をダウンコンバートするアナログ―デジタル変換器１１５２、および、送信信号をアップコンバートするデジタル―アナログ変換器１１５４、および所望される場合、各受信／送信信号の物理（ＰＨＹ）リンク層処理を行うベースバンドプロセッサ１１５６などを含んでよい。また処理部１１５０は、媒体アクセス制御（ＭＡＣ）／データリンク層処理を行う処理回路１１５９を含むか、またはこれにより構成されてもよい。
【００４４】
特定の実施形態において、ＭＡＣ処理回路１１５９はスケジューラ１１８０を、バッファメモリ（図示せず）などの追加の回路およびベースバンドプロセッサ１１５６と組み合わせて含んでもよく、上述した方法を実行するよう機能する。代替または追加で、ベースバンドプロセッサ１１５６は、ＭＡＣ処理回路１１５９とは独立してこれらの処理を実行してもよい。ＭＡＣおよびＰＨＹ処理は、所望される場合、単一の回路に統合されてもよい。
【００４５】
装置１１００は例えば、基地局、アクセスポイント、ｅＮｏｄｅＢ、ハイブリッドコーディネータ、無線ルータ、若しくは、ＮＩＣおよび／またはコンピューティングデバイスのネットワークアダプタを含む、ＵＥ、プラットフォーム、または端末などの固定型または携帯型のユーザ局であってもよい。したがって、装置１１００の上述した機能および／または特定の構成は、適宜所望されるように含まれても省略されてもよい。
【００４６】
装置１１００の実施形態は、ＳＩＳＯ、ＭＩＳＯ、またはＳＩＭＯアーキテクチャを用いて実装してもよい。しかし図１１に示すように、特定の好ましい実装例は、空間多重化、空間分割多元接続（ＳＤＭＡ）、ビーム形成、および／または多重入出力（ＭＩＭＯ）通信技術により送信および／または受信を行うべく複数のアンテナ（１１１８、１１１９など）を含む。さらに本願発明の実施形態は、マルチキャリア符号分割多重化（ＭＣ−ＣＤＭＡ）、マルチキャリアダイレクトシーケンス符号分割多重化（ＭＣ−ＤＳ−ＣＤＭＡ）、ＯＴＡリンクアクセスを行う単一キャリア変調技術、または他の任意の、本願発明の実施形態の特徴と互換性のある変調または多重化方式を用いてもよい。
【００４７】
以下の説明はさらに他の実施形態に関する。装置１１００は、一次ＰＣｅｌｌおよび二次セルＳＣｅｌｌを含む無線ネットワークにおいてＰＣｅｌｌを用いる。装置１１００は、ＰＣｅｌｌのＰＤＳＣＨを用いてＰＵＣＣＨリソースを割り当てる処理回路１１５０を備える。装置はさらに、ＰＣｅｌｌのＰＤＣＣＨ上で第１の、または最も低い制御チャネル要素指標を用いて、ＵＥ３  １２４などのＵＥに対してＰＵＣＣＨリソースを示す。２つから４つのサブフレームを用いてＰＵＣＣＨリソースが示される。装置１１００はさらに、複数のＤＬサブフレームをＰＣｅｌｌへ送信する無線インタフェース１１１０を備える。装置１１００は、ＰＵＣＣＨリソースをＵＥへ割り当てる、２つのサービスするセルを用いるべくｅＮｏｄｅＢ２  １１６など他のｅＮｏｄｅＢと通信を行うｅＮｏｄｅＢ１  １１４などｅＮｏｄｅＢの一部であってもよい。
【００４８】
さらに装置１１００は、ＰＤＳＣＨでＵＥへＤＬサブフレームを送信することによりＰＵＣＣＨリソース割り当てを行ってもよい。ここでＰＤＳＣＨはＰＣｅｌｌ上のＵＥによるＰＤＣＣＨの検出により示され、ＰＵＣＣＨリソースは、ＰＤＣＣＨの第１制御チャネル要素指標を用いて示される。ＵＥはＰＣｅｌｌおよびＳＣｅｌｌによってサービスされることも出来る。さらにＰＤＳＣＨは、搬送波間スケジューリングを用いてＰＣｅｌｌによりＳＣｅｌｌ上でスケジューリングされてもよい。２つから４つのＤＬサブフレームを用いて、ＰＤＣＣＨの第１制御チャネル要素指標を示してもよい。さらに装置は、３ＧＰＰ  ＬＴＥ−Ａ  Ｒｅｌｅａｓｅ  １０に準拠して動作してもよい。
【００４９】
加えて、ｅＮｏｄｅＢの一部であってもよい装置１１００は、ＳＣｅｌｌのＰＤＳＣＨのＵＥへＤＬサブフレームを送信することによりＰＵＣＣＨリソース割り当てを行ってもよい。ここでＰＤＳＣＨは、ＳＣｅｌｌ上のＵＥによるＰＤＣＣＨの検出により示され、ＰＵＣＣＨリソースは、ＰＤＣＣＨ上で送信されるＤＣＩのフィールドを用いて示される。ＰＵＣＣＨリソースはＰＣｅｌｌ上で用いるべくＵＥへ割り当てられてもよい。他の実施形態において、ＰＵＣＣＨリソースはＰＣｅｌｌ上のＰＤＣＣＨの検出により暗示的に示されてもよい。さらにＵＥは、２つのコンポーネントキャリアを用いるＰＣｅｌｌおよびＳＣｅｌｌによってサービスされてもよい。またフィールドは、ＡＣＫ／ＮＡＣＫリソースインジケータビットとして、３つのＤＬサブフレーム内のＤＬのＳＣｅｌｌのＰＤＣＣＨに対応するＤＣＩのＴＰＣフィールドであってもよく、このとき、ＴＰＣフィールドを用いて、ＰＵＣＣＨリソースを明示的に示してもよく、またこのときＰＵＣＣＨリソースは、無線リソース制御（ＲＲＣ）シグナリングを介してなど、より上位の層によって設定される。
【００５０】
装置１１００は一次セル（ＰＣｅｌｌ）および二次セル（ＳＣｅｌｌ）内で無線通信を行うように構成されてもよい。ここで、ＰＣｅｌｌおよびＳＣｅｌｌは、図１の無線通信ネットワーク１００などの時分割二重化（ＴＤＤ）無線ネットワークで、当該装置にサービスするセルとして構成される。装置１１００は、無線ネットワークのＰＤＳＣＨからＰＵＣＣＨリソース割り当てを決定する処理回路１１５０を備えてもよい。ここでＰＵＣＣＨリソースは、ＰＣｅｌｌおよびＳＣｅｌｌ上の２以上のＰＤＳＣＨサブフレーム送信から導出される。本実施形態において、ＰＵＣＣＨを用いて、ｅＮｏｄｅＢ１  １１４などのｅＮｏｄｅＢへＨＡＲＱ−ＡＣＫ情報をフィードバックしてもよい。２つから４つのＰＵＣＣＨリソースをＰＤＳＣＨサブフレーム送信に関連付けることが出来る。さらにＰＵＣＣＨリソースは、上り回線（ＵＬ）サブフレームと関連付けられる。ここで、装置によって暗示的および／または明示的に示される、または導出されるＰＵＣＣＨリソースは、１つのＵＬサブフレームでＵＬシグナリングを行うべく装置へ提供される。他の実施形態においては、サブフレームが追加で提供される。本実施形態において、各ＰＵＣＣＨリソースはＰＤＳＣＨ上で送信されるサブフレームに関連付けられる。加えて、ＳＣｅｌｌのＰＤＣＣＨ上で送信される下り回線制御情報の送信電力制御（ＴＰＣ）フィールドを用いて、１以上のＰＵＣＣＨリソースを示すことが出来る。さらに本実施形態において、当該装置はＵＥ、移動局、または端末の一部であってよい。
【００５１】
装置１１００は、図１の無線通信ネットワーク１００などの一次セル（ＰＣｅｌｌ）および二次セル（ＳＣｅｌｌ）を含む時分割二重化（ＴＤＤ）無線ネットワークで無線通信を行ってもよい。装置１１００は、ＰＣｅｌｌおよびＳＣｅｌｌ上の１以上のＰＤＳＣＨサブフレーム送信からＵＥによって導出されるＰＵＣＣＨリソースを、無線ネットワーク１００のＰＤＳＣＨを用いて割り当てる処理回路１１５０を備えてもよい。２つから４つのＰＵＣＣＨリソースが、ＰＤＳＣＨサブフレーム送信と関連付けられてもよい。ここでＰＵＣＣＨリソースは、ＰＵＣＣＨ上の上り回線（ＵＬ）サブフレームと関連付けられる。ＵＬサブフレームはＰＤＳＣＨサブフレーム送信と同じフレームに含まれてもよく、または続くフレームに含まれてもよい。一実施形態において、各ＰＵＣＣＨリソースは、ＰＤＳＣＨ上で送信されるサブフレームと関連付けられる。
【００５２】
装置１１００のコンポーネントおよび特徴は、別個の回路、特定用途向け集積回路（ＡＳＩＣ）、論理ゲート、および／または単一チップアーキテクチャなどから成る任意の組み合わせを用いて実装してよい。さらに装置１１００の特徴は、マイクロコントローラ、プログラム可能論理アレイ、および／またはマイクロプロセッサなどを用いて実装されてよく、並びに／若しくは、適宜これらを組み合わせて実装されてもよい。ハードウェア、ファームウェア、および／またはソフトウェア要素は、総じて、若しくは個別に、「論理」または「回路」と呼ぶこともある。
【００５３】
図１１のブロック図に示す例示的な装置１１００は、メモリデバイス、プロセッサ、並びに、ディスプレイおよび／またはタッチスクリーン、キーボード、および／または通信ポートなどのインタフェースと組み合わせられ得る多くの利用可能な実装例の機能を説明するための例でしかない。したがって、添付の図面に示されるブロックの機能の分割、省略、または統合は、本願発明の実施形態において、これらの機能を実装するハードウェアコンポーネント、回路、ソフトウェア、および／または要素がそのように分割、省略、または統合されてなければならないことを示唆するものではない。
【００５４】
物理的に不可能でない限り、本発明者は、（ｉ）本明細書で説明される方法を、あらゆる順序、および／またはあらゆる組み合わせで実行することが出来、並びにｉｉ）各実施形態のコンポーネントがいかなる方法で組み合わせられてもよいものと考えている。
【００５５】
本願発明の実施形態は、任意の形態の処理コア上で実行される命令のセットを含んでもよく、若しくは、機械可読媒体で実装または実現されてもよい。機械可読媒体は、（コンピュータなどの）機械が読み取り可能な有形の形態で情報を格納または送信出来るメカニズムを有する。例えば、機械可読媒体は、読み取り専用メモリ（ＲＯＭ）、ランダムアクセスメモリ（ＲＡＭ）、磁気ディスク記憶媒体、光学記憶媒体、およびフラッシュメモリデバイスなどの製品を含む。加えて、機械可読媒体は、電気、光、音響、または他の形態の（搬送波、赤外線信号、デジタル信号などの）伝搬信号を含んでよい。
【００５６】
本願発明の例示的な実施形態を説明したが、本願発明の態様から逸脱することなく多くの変形および修正を加えることが可能である。したがって、本願発明の実施形態は上述した特定の開示によって限定されなく、むしろ、以下の請求項、およびそれらの同等物の範囲によってのみ定められる。以下に、本発明の実施形態の例を項目として示す。
［項目１］
物理上り回線制御チャネルリソース（ＰＵＣＣＨリソース）の割り当てを決定する方法であり、
一次セル（ＰＣｅｌｌ）および二次セル（ＳＣｅｌｌ）によりサービスされるユーザ機器（ＵＥ）により、物理下り回線共有チャネル（ＰＤＳＣＨ）において下り回線サブフレームを受信する段階を備え、
ＰＤＳＣＨはＰＣｅｌｌにおける物理下り回線制御チャネル（ＰＤＣＣＨ）の検出により示され、
ＰＵＣＣＨリソースは、ＰＤＣＣＨの第１制御チャネル要素指標を用いて示される、方法。
［項目２］
ＰＵＣＣＨリソースは、時分割二重化（ＴＤＤ）ハイブリッド自動再送要求（ＨＡＲＱ）応答（ＡＣＫ）情報のフィードバックを行うべく提供される、項目１に記載の方法。
［項目３］
ＳＣｅｌｌ上のＰＤＳＣＨの搬送波間スケジューリングを用いる段階をさらに備える、項目２に記載の方法。
［項目４］
２つから４つのサブフレームを用いてＰＤＣＣＨの第１制御チャネル要素指標が示される、項目２または３に記載の方法。
［項目５］
３ｒｄ  Ｇｅｎｅｒａｔｉｏｎ  Ｐａｒｔｎｅｒｓｈｉｐ  Ｐｒｏｊｅｃｔ（３ＧＰＰ）Ｒｅｌｅａｓｅ  １０  Ｌｏｎｇ  Ｔｅｒｍ  Ｅｖｏｌｕｔｉｏｎ  Ａｄｖａｎｃｅｄ（ＬＴＥ−Ａ）に準拠して実行される、項目１から４のいずれか１項に記載の方法。
［項目６］
物理上り回線制御チャネルリソース（ＰＵＣＣＨリソース）の割り当てを決定するユーザ機器（ＵＥ）であり、
二次セル（ＳＣｅｌｌ）上の物理下り回線制御チャネル（ＰＤＣＣＨ）の検出により示されるＳＣｅｌｌの物理下り回線共有チャネル（ＰＤＳＣＨ）において下り回線サブフレームを受信する受信手段を備え、
ＰＵＣＣＨリソースは、ＰＤＣＣＨ上で送信される下り回線制御情報のフィールドを用いて示される、ユーザ機器。
［項目７］
ＰＵＣＣＨリソースはさらに一次セル（ＰＣｅｌｌ）を用いて示される、項目６に記載のユーザ機器。
［項目８］
ＰＵＣＣＨリソースはＰＣｅｌｌ上で暗示的に示され、ＳＣｅｌｌ上で明示的に示される、項目７に記載のユーザ機器。
［項目９］
２つのコンポーネントキャリアを用いる２つのセルからサービスされる、項目６から８のいずれか１項に記載のユーザ機器。
［項目１０］
一次セル（ＰＣｅｌｌ）および二次セル（ＳＣｅｌｌ）を含む無線環境における物理下り回線共有チャネル（ＰＤＳＣＨ）から物理上り回線制御チャネルリソース（ＰＵＣＣＨリソース）の割り当てを決定する処理回路を備え、
２つから４つのＰＵＣＣＨリソースが、ＰＣｅｌｌおよびＳＣｅｌｌ上の１以上のＰＤＳＣＨ送信によりＰＵＣＣＨに対して暗示的に示される、無線ネットワークで用いられる装置。
［項目１１］
ＰＣｅｌｌおよびＳＣｅｌｌから下り回線サブフレームを受信する無線インタフェースをさらに備える、項目１０に記載の装置。
［項目１２］
下り回線通信において直交周波数分割多元接続（ＯＦＤＭＡ）により動作し、上り回線通信において単一搬送波周波数分割多元接続（ＳＣ−ＦＤＭＡ）により動作するユーザ機器（ＵＥ）の一部である、項目１１に記載の装置。
［項目１３］
物理下り回線制御チャネル（ＰＤＣＣＨ）上で搬送される下り回線制御情報を用いてＰＵＣＣＨリソースが決定される、項目１０から１２のいずれか１項に記載の装置。
［項目１４］
イボルブドノードＢ（ｅＮｏｄｅＢ）からＰＵＣＣＨリソースを受信する、項目１３に記載の装置。
［項目１５］
ＰＵＣＣＨリソースは、ＰＣｅｌｌ上の物理下り回線制御チャネル（ＰＤＣＣＨ）の第１制御チャネル要素（ＣＣＥ）指標を用いて示される、項目１１から１４のいずれか１項に記載の装置。
［項目１６］
２つのコンポーネントキャリアを用いて動作する、項目１１から１５のいずれか１項に記載の装置。
［項目１７］
ユーザ機器（ＵＥ）はタブレット、スマートフォン、ネットブック、ノートパソコン、または携帯デバイスの形態である、項目１２に記載の装置。
［項目１８］
一次セル（ＰＣｅｌｌ）および二次セル（ＳＣｅｌｌ）を含む無線ネットワークに用いられる装置であり、
ＰＣｅｌｌにおける物理下り回線共有チャネル（ＰＤＳＣＨ）を用いて物理上り回線制御チャネルリソース（ＰＵＣＣＨリソース）を割り当てる処理回路を備え、
ＰＣｅｌｌの物理下り回線制御チャネル（ＰＤＣＣＨ）上で第１制御チャネル要素指標を用いてＰＵＣＣＨリソースが示され、
２つから４つのサブフレームを用いてＰＵＣＣＨリソースが示される、装置。
［項目１９］
ＰＣｅｌｌにおいて複数の下り回線サブフレームを送信する無線インタフェースをさらに備える、項目１８に記載の装置。
［項目２０］
ＰＵＣＣＨリソースをユーザ機器（ＵＥ）へ割り当てるべく、２つのサービスするセルを用いる他のイボルブドノードＢ（ｅＮｏｄｅＢ）と通信を行うｅＮｏｄｅＢの一部である、項目１９に記載の装置。
［項目２１］
一次セル（ＰＣｅｌｌ）および二次セル（ＳＣｅｌｌ）を含む無線ネットワークで用いられる装置であり、
物理上り回線制御チャネルリソース（ＰＵＣＣＨリソース）を割り当てる処理回路を備え、
ＳＣｅｌｌにおける物理下り回線制御チャネル（ＰＤＣＣＨ）上で送信される下り回線制御情報の送信電力制御フィールドを用いてＰＵＣＣＨリソースのうち１以上が示される、装置。
［項目２２］
ＰＵＣＣＨリソースはイボルブドノードＢ（ｅＮｏｄｅＢ）の上位層により構成される、項目２１に記載の装置。
［項目２３］
装置にハイブリッド自動再送要求（ＨＡＲＱ）応答（ＡＣＫ）／否定応答（ＮＡＣＫ）情報を送信するＰＵＣＣＨリソースをユーザ機器（ＵＥ）に提供する、項目２１または２２に記載の装置。
［項目２４］
時分割二重化（ＴＤＤ）無線ネットワークの一次セル（ＰＣｅｌｌ）および二次セル（ＳＣｅｌｌ）において無線通信を行う装置であり、
無線ネットワークの物理下り回線共有チャネル（ＰＤＳＣＨ）からの物理上り回線制御チャネルリソース（ＰＵＣＣＨリソース）の割り当てを決定する処理回路を備え、
ＰＵＣＣＨリソースは、ＰＣｅｌｌおよびＳＣｅｌｌ上の２以上のＰＤＳＣＨサブフレーム送信から導出される、装置。
［項目２５］
ＰＵＣＣＨを用いて、イボルブドノードＢ（ｅＮｏｄｅＢ）へハイブリッド自動再送要求（ＨＡＲＱ）応答（ＡＣＫ）情報をフィードバックする、項目２４に記載の装置。
［項目２６］
２つから４つのＰＵＣＣＨリソースがＰＤＳＣＨサブフレーム送信と関連付けられる、項目２５に記載の装置。
［項目２７］
ＰＣｅｌｌおよびＳＣｅｌｌは装置にサービスするセルである、項目２６に記載の装置。
［項目２８］
ＰＵＣＣＨリソースは上り回線（ＵＬ）サブフレームと関連付けられる、項目２４にから２７のいずれか１項記載の装置。
［項目２９］
ＰＵＣＣＨリソースのそれぞれがＰＤＳＣＨ上で送信されるサブフレームと関連付けられる、項目２４から２８のいずれか１項に記載の装置。
［項目３０］
ＰＵＣＣＨリソースの１以上は、ＳＣｅｌｌの物理下り回線制御チャネル（ＰＤＣＣＨ）上で送信される下り回線制御情報のフィールドを用いて示される、項目２４から２９のいずれか１項に記載の装置。
［項目３１］
下り回線制御情報のフィールドは送信電力制御（ＴＰＣ）フィールドである、項目３０に記載の装置。
［項目３２］
一次セル（ＰＣｅｌｌ）および二次セル（ＳＣｅｌｌ）を含む時分割二重化（ＴＤＤ）無線ネットワークで無線通信を行う装置であり、
無線ネットワークの物理下り回線共有チャネル（ＰＤＳＣＨ）を用いて物理上り回線制御チャネルリソース（ＰＵＣＣＨリソース）を割り当てる処理回路を備え、
ＰＵＣＣＨリソースはユーザ機器（ＵＥ）により、ＰＣｅｌｌおよびＳＣｅｌｌ上の１以上のＰＤＳＣＨサブフレーム送信から導出される、装置。
［項目３３］
２つから４つのＰＵＣＣＨリソースがＰＤＳＣＨサブフレーム送信と関連付けられる、項目３２に記載の装置。
［項目３４］
ＰＵＣＣＨリソースはＰＵＣＣＨ上の上り回線（ＵＬ）サブフレームと関連付けられる、項目３２または３３に記載の装置。
［項目３５］
ＰＵＣＣＨリソースのそれぞれがＰＤＳＣＨ上で送信されるサブフレームと関連付けられる、項目３２から３４のいずれか１項に記載の装置。
【図１】
0005709334.tif 000003
【図２】
0005709334.tif 000004
【図３】
0005709334.tif 000005
【図４】
0005709334.tif 000006
【図５】
0005709334.tif 000007
【図６】
0005709334.tif 000008
【図７】
0005709334.tif 000009
【図８】
0005709334.tif 000010
【図９】
0005709334.tif 000011
【図１０】
0005709334.tif 000012
【図１１】
0005709334.tif 000013